(57)【特許請求の範囲】
【請求項１】
面談管理装置から送信される配車予約情報に基づいて、第１ユーザの移動のために提供されるハイヤーに搭載され、前記第１ユーザが前記ハイヤー内で使用する車両端末と、第２ユーザが使用する第２ユーザ端末と、通信可能に構成され、前記車両端末と前記第２ユーザ端末の間で移動中にビデオ通話による面談を行わせる面談管理装置であって、
前記第１ユーザの前記ハイヤーへの乗車時刻、乗車地および目的地の入力を受け付ける受信部と、
当該乗車時刻および当該乗車地を含む前記ハイヤーの前記配車予約情報を格納する予約部と、
前記乗車地および前記目的地に基づいて降車時刻を算出するとともに、前記乗車時刻および前記降車時刻に基づいて、前記ハイヤーでの移動中の時間を面談可能時刻として算出する面談時間枠算出部と、
当該面談可能時刻を前記第１ユーザの識別情報と関連付けて記録する第１ユーザ情報記憶部と、
前記第２ユーザ端末に、前記第１ユーザの前記面談可能時刻を表示させる表示制御部と、
前記面談可能時刻に含まれる、前記第１ユーザと前記第２ユーザとの面談日時を記憶する面談設定部と、
前記面談日時において、前記車両端末と前記第２ユーザ端末とを接続してビデオ通話を行わせるビデオ通話部と、
を備える、
面談管理装置。
【請求項２】
インタビュアが使用するインタビュア端末と、さらに通信可能に構成され、
前記表示制御部は、前記インタビュア端末に前記第１ユーザの前記面談可能時刻を表示させ、
前記面談設定部は、前記インタビュア端末からの入力に基づいて前記インタビュアが前記第１ユーザにビデオ通話による代理面談を行う代理面談日時を記憶し、
前記ビデオ通話部は、前記インタビュア端末と前記車両端末とを接続して前記代理面談を行わせるとともに、当該代理面談の動画を前記第２ユーザ端末において再生させるビデオ再生部をさらに備える、
請求項１記載の面談管理装置。
【請求項３】
複数の前記第２ユーザ端末と通信可能に構成され、
前記ビデオ再生部は、複数の前記第２ユーザ端末において、前記代理面談の動画を同時に再生させる、
請求項２記載の面談管理装置。
【請求項４】
前記ビデオ通話部は、前記代理面談の動画を録画し、
前記ビデオ再生部は、録画されている前記代理面談の動画を前記第２ユーザ端末において再生させる、
請求項２又は３記載の面談管理装置。
【請求項５】
前記第２ユーザ端末から入力される前記第１ユーザへの質問を受け付けるとともに、前記質問を前記インタビュア端末に送信する質問処理部、
をさらに備える、
請求項２乃至４のいずれかに記載の面談管理装置。
【請求項６】
前記第１ユーザは求職者であり、前記第２ユーザは前記求職者の採用を検討する採用者であり、
前記第１ユーザ情報記憶部は、前記第１ユーザの履歴書の情報を、前記第１ユーザの識別情報に関連付けて記憶しており、
前記表示制御部は、前記第２ユーザ端末に前記履歴書の情報を表示させる、
請求項１乃至５のいずれかに記載の面談管理装置。
【請求項７】
コンピュータから送信される配車予約情報に基づいて第１ユーザの移動のために提供されるハイヤーに搭載され、前記第１ユーザが前記ハイヤー内で使用する車両端末と、第２ユーザが使用する第２ユーザ端末と、通信可能に構成されている前記コンピュータにより、
前記車両端末と前記第２ユーザ端末の間で移動中にビデオ通話による面談を行わせる方法であって、
前記第１ユーザの前記ハイヤーへの乗車時刻、乗車地および目的地の入力を受け付ける受信処理と、
当該乗車時刻および当該乗車地を含む前記ハイヤーの前記配車予約情報を格納する予約処理と、
前記乗車地および前記目的地に基づいて降車時刻を算出する降車時刻算出処理と、
前記乗車時刻および前記降車時刻に基づいて、前記ハイヤーでの移動中の時間を面談可能時刻として算出し、当該面談可能時刻を前記第１ユーザの識別情報と関連付けて記録する記録処理と、
前記第２ユーザ端末に、前記第１ユーザの前記面談可能時刻を表示させる表示処理と、
前記面談可能時刻に含まれる、前記第１ユーザと前記第２ユーザとの面談日時を記憶する面談設定処理と、
前記面談日時において、前記車両端末と前記第２ユーザ端末とを接続してビデオ通話を行わせるビデオ通話処理と、
を実行する、
面談管理方法。
【請求項８】
コンピュータから送信される配車予約情報に基づいて第１ユーザの移動のために提供されるハイヤーに搭載され、前記第１ユーザが前記ハイヤー内で使用する車両端末と、第２ユーザが使用する第２ユーザ端末と、通信可能に構成されている前記コンピュータにより、
前記車両端末と前記第２ユーザ端末の間で移動中にビデオ通話による面談を行わせるためのコンピュータプログラムであって、
前記第１ユーザの前記ハイヤーへの乗車時刻、乗車地および目的地の入力を受け付ける受信処理と、
当該乗車時刻および当該乗車地を含む前記ハイヤーの前記配車予約情報を格納する予約処理と、
前記乗車地および前記目的地に基づいて降車時刻を算出する降車時刻算出処理と、
前記乗車時刻および前記降車時刻に基づいて、前記ハイヤーでの移動中の時間を面談可能時刻として算出し、当該面談可能時刻を前記第１ユーザの識別情報と関連付けて記録する記録処理と、
前記第２ユーザ端末に、前記第１ユーザの前記面談可能時刻を表示させる表示処理と、
前記面談可能時刻に含まれる、前記第１ユーザと前記第２ユーザとの面談日時を記憶する面談設定処理と、
前記面談日時において、前記車両端末と前記第２ユーザ端末とを接続してビデオ通話を行わせるビデオ通話処理と、
を前記コンピュータに実行させる、
コンピュータプログラム。
【発明の詳細な説明】
【技術分野】
【０００１】
本発明は、ハイヤー利用中の移動時間を活用してハイヤー面談を行う技術に関する。
【背景技術】
【０００２】
現代において通勤に要する移動時間は膨大であるが、これまで移動時間の活用は限定的であった。そこで、移動時間を活用することで、多忙な社会人の可処分時間を生産できる技術が必要とされている。
【０００３】
特許文献１では、予め目的地への到着時間を予測して、予測乗車時間に適合するビデオコンテンツをビデオコンテンツ配信システムから携帯電話を介してタクシー内のビデオ上映装置の記憶装置にダウンロードしてモニターに表示（上映）することが記載されている。特許文献２では、タクシー内に配置されるシステムにおいて、広告を表示し、ユーザからの入力も受け付ける会話型システムにおいて、車内において情報を双方向に送受信することが記載されている。特許文献３では、面接希望者の面接希望日等に基づいて面接官を決定し、面接官のスケジュールに面接希望者を登録することで、面接スケジュールを調整する方法が記載されている。
【先行技術文献】
【特許文献】
【０００４】
【特許文献１】特開２００４−３３４６２８号公報
【特許文献２】特表２００４−５１５７９７号公報
【特許文献３】特開２００４−２８０３３８号公報
【発明の概要】
【発明が解決しようとする課題】
【０００５】
本発明は、移動時間を効率よく利用することを目的の一つとする。
【課題を解決するための手段】
【０００６】
上記目的を達成するため、本発明の一の観点に係る面談管理装置は、ハイヤーに搭載され第１ユーザが前記ハイヤー内で使用する車両端末と、第２ユーザが使用する第２ユーザ端末と、通信可能に構成され、前記車両端末と前記第２ユーザ端末の間でビデオ通話による面談を行わせる面談管理装置であって、前記第１ユーザの前記ハイヤーへの乗車時刻、乗車地および目的地の入力を受け付ける受信部と、当該乗車時刻および当該乗車地を含む前記ハイヤーの配車予約情報を格納する予約部と、前記乗車地および前記目的地に基づいて降車時刻を算出するとともに、前記乗車時刻および前記降車時刻に基づいて、前記ハイヤー内の滞在時間を面談可能時刻として算出する面談時間枠算出部と、当該面談可能時刻を前記第１ユーザの識別情報と関連付けて記録する第１ユーザ情報記憶部と、前記第２ユーザ端末に、前記第１ユーザの前記面談可能時刻を表示させる表示制御部と、前記第１ユーザと前記第２ユーザとの面談日時を記憶する面談設定部と、前記面談日時において、前記車両端末と前記第２ユーザ端末とを接続してビデオ通話を行わせるビデオ通話部と、を備える。
【０００７】
インタビュアが使用するインタビュア端末と、さらに通信可能に構成され、前記表示制御部は、前記インタビュア端末に前記第１ユーザの前記面談可能時刻を表示させ、前記面談設定部は、前記インタビュア端末からの入力に基づいて前記インタビュアが前記第１ユーザにビデオ通話による代理面談を行う代理面談日時を記憶し、前記ビデオ通話部は、前記インタビュア端末と前記車両端末とを接続して前記代理面談を行わせるとともに、当該代理面談の動画を前記第２ユーザ端末において再生させるビデオ再生部をさらに備えるものとしてもよい。
【０００８】
複数の前記第２ユーザ端末と通信可能に構成され、前記ビデオ再生部は、複数の前記第２ユーザ端末において、前記代理面談の動画を同時に再生させるものとしてもよい。
【０００９】
前記ビデオ通話部は、前記代理面談の動画を録画し、前記ビデオ再生部は、録画されている前記代理面談の動画を前記第２ユーザ端末において再生させるものとしてもよい。
【００１０】
前記第２ユーザ端末から入力される前記第１ユーザへの質問を受け付けるとともに、前記質問を前記インタビュア端末に送信する質問処理部、をさらに備えるものとしてもよい。
【００１１】
前記第１ユーザは求職者であり、前記第２ユーザは前記求職者の採用を検討する採用者であり、前記第１ユーザ情報記憶部は、前記第１ユーザの履歴書の情報を、前記第１ユーザの識別情報に関連付けて記憶しており、前記表示制御部は、前記第２ユーザ端末に前記履歴書の情報を表示させるものとしてもよい。
【００１２】
上記目的を達成するため、本発明の別の観点に係る面談管理方法は、ハイヤーに搭載され第１ユーザが前記ハイヤー内で使用する車両端末と、第２ユーザが使用する第２ユーザ端末と、通信可能に構成されているコンピュータにより、前記車両端末と前記第２ユーザ端末の間でビデオ通話による面談を行わせる方法であって、前記第１ユーザの前記ハイヤーへの乗車時刻、乗車地および目的地の入力を受け付ける受信処理と、当該乗車時刻および当該乗車地を含む前記ハイヤーの配車予約情報を格納する予約処理と、前記乗車地および前記目的地に基づいて降車時刻を算出する降車時刻算出処理と、前記乗車時刻および前記降車時刻に基づいて、前記ハイヤー内の滞在時間を面談可能時刻として算出し、当該面談可能時刻を前記第１ユーザの識別情報と関連付けて記録する記録処理と、前記第２ユーザ端末に、前記第１ユーザの前記面談可能時刻を表示させる表示処理と、前記第１ユーザと前記第２ユーザとの面談日時を記憶する面談設定処理と、前記面談日時において、前記車両端末と前記第２ユーザ端末とを接続してビデオ通話を行わせるビデオ通話処理と、を実行する。
【００１３】
上記目的を達成するため、本発明のさらに別の観点に係るコンピュータプログラムは、ハイヤーに搭載され第１ユーザが前記ハイヤー内で使用する車両端末と、第２者が使用する第２ユーザ端末と、通信可能に構成されているコンピュータにより、前記車両端末と前記第２ユーザ端末の間でビデオ通話による面談を行わせるためのコンピュータプログラムであって、前記第１ユーザの前記ハイヤーへの乗車時刻、乗車地および目的地の入力を受け付ける受信処理と、当該乗車時刻および当該乗車地を含む前記ハイヤーの配車予約情報を格納する予約処理と、前記乗車地および前記目的地に基づいて降車時刻を算出する降車時刻算出処理と、前記乗車時刻および前記降車時刻に基づいて、前記ハイヤー内の滞在時間を面談可能時刻として算出し、当該面談可能時刻を前記第１ユーザの識別情報と関連付けて記録する記録処理と、前記第２ユーザ端末に、前記第１ユーザの前記面談可能時刻を表示させる表示処理と、前記第１ユーザと前記第２ユーザとの面談日時を記憶する面談設定処理と、前記面談日時において、前記車両端末と前記第２ユーザ端末とを接続してビデオ通話を行わせるビデオ通話処理と、をコンピュータに実行させる。
【００１４】
なお、コンピュータプログラムは、各種のデータ読取可能な記録媒体に格納して提供したり、インターネット等のネットワークを介してダウンロード可能に提供したりすることができる。
【発明の効果】
【００１５】
本発明によれば、移動時間を効率よく利用することができる。
【図面の簡単な説明】
【００１６】
【図１】本発明の実施形態に係る面接管理システムの概要を説明する概要図である。
【図２】本発明の実施形態に係る面接管理システムの構成及び機能を示した機能ブロック図である。
【図３】本発明の実施形態に係る面接管理システムに記憶されるデータテーブルの１例を示す図であって、（ａ）求職者情報記憶部に記憶されるデータの１例、（ｂ）配車情報記憶部に記憶されるデータの１例である。
【図４】本発明の実施形態に係る面接管理システムにおいて、採用者端末に表示される画面の１例である。
【図５】本発明の実施形態に係る面接管理システムにおいて実行される処理のうち、求職者のプロフィールおよび配車予約が決定される処理の流れの１例を示したシーケンス図である。
【図６】本発明の実施形態に係る面接管理システムにおいて実行される処理のうち、車両端末と採用者端末との間でビデオ通話による代理面談が行われ、採用者端末から適宜の質問を受け付ける処理の流れの１例を示したシーケンス図である。
【図７】本発明の実施形態に係る面接管理システムにおいて実行される処理のうち、車両端末と採用者端末との間でビデオ通話による面接が行われる処理の流れの他の１例を示したシーケンス図である。
【発明を実施するための形態】
【００１７】
●概要
以下、本発明の実施形態に係る面接管理システムについて、図を参照して説明する。以降の説明において、面接は面談の１例であり、面接管理装置は、面談管理装置の例である。
本実施形態に係る面接管理システムは、求職者からの登録に応じてハイヤーを配車し、ハイヤー内の滞在時間においてビデオ通話による採用面接を行うことで、効率的に採用者と求職者をマッチングする。特に、求職者は本システムのハイヤーを定期予約し、通勤に利用するものである。
ここで、ハイヤーとは、旅客を運送する移動体を示しており、例えば自動車であるが、異なる物であってもよい。また、ハイヤーの運転は、運転手が行う他、自動走行でもよい。
なお、本発明の技術的範囲は、本実施形態で説明する人材採用を想定した使用形態に限られるものではなく、ハイヤーの配車により移動時間をハイヤー内のプライベートな可処分時間に変換し、ハイヤー内の滞在時間においてビデオ通話を行うあらゆるサービスに適用可能である。例えば、ハイヤー内にいる人がビデオ通話で保険、住宅、不動産などの営業を受ける構成であってもよい。また、営業に限らず、ビデオ通話によりコンサルティングやカウンセリング、法律相談などのサービスを受ける構成であってもよい。さらに、ハイヤー内にいる人が、ビデオ通話によりサービスを提供する形態であってもよく、例えばハイヤーに営業マン、コンサルタント、カウンセラーおよび士業の人物等が乗車し、ハイヤー内でのビデオ通話で遠隔の人物にサービスを提供してよい。なお、サービスを提供する人物およびサービスを提供される人物が、それぞれ異なるハイヤーに乗車し、それぞれのハイヤー内の滞在時間においてビデオ通話を行う構成であってもよい。
【００１８】
まず、図１により、本実施形態に係る面接管理システムの概要について説明する。
図１に示されるように、面接管理システムは、求職者、採用者、インタビュアの三者による利用が想定される。また、面接管理システムは、求職者へハイヤーを配車するハイヤー会社の端末、すなわち配車端末２０からの情報が受信可能になっている。
求職者は、アルバイトやパートタイム勤務のほか、体験勤務、正社員勤務などを含め、広く雇用の機会を求める者である。求職者は、第１ユーザの例である。
採用者は、求職者を採用、雇用する者である。採用者は、第２ユーザの例である。
インタビュアは、採用者が求職者に面接のオファーをするか検討する際に参考となるような代理面談を行う者であり、例えば採用の仲介をする者がこの役割を行う。代理面談の様子は、採用者により、リアルタイム又は録画されたものを事後的に閲覧可能である。また、インタビュアは、採用者に閲覧させる代理面談とは別に、ハイヤー内外で面談を行い、求職者の履歴書又は職務経歴書を作成するためのプロフィール情報を収集したり、キャリアアドバイザとして求職に関する相談に乗ったりしてもよい。また、インタビュアとは別に、キャリアアドバイザが、別途の端末を用いて求職者端末と通信を行ったり、車両を介して面談を行ったりしてもよい。
【００１９】
求職者、採用者、インタビュアはそれぞれ、求職者端末１０、採用者端末５０、インタビュア端末４０を利用し、これにより面接管理装置１とデータのやり取りを行う。また、求職者は、ハイヤーＴの中では、ハイヤーＴに備え付けられた車両端末３０を通じて面接管理装置１とデータのやり取りを行う。なお、各端末の構成については後述するが、例えば、データ通信可能なスマートデバイスやパーソナルコンピュータなどによって実現される。採用者端末５０は、第２ユーザ端末の例である。
【００２０】
求職者は、求職者端末１０、例えば自身のスマートフォンにより、自身の情報および、ハイヤーＴの配車予約を行う。この配車予約に含まれる情報は、ハイヤーＴへの乗車を希望する日時、乗車地および目的地などの情報を含む。本システムでは、求職者がハイヤーＴを定期的に利用することを想定しており、乗車希望日時は、例えば「毎週金曜日の８時」といった情報である。
【００２１】
面接管理装置１は、配車予約を受信すると、配車端末２０に当該配車予約情報を送信する。配車端末２０は、自身のデータベースなどを参照してハイヤーＴの配車を行い、求職者の送迎をさせる。
【００２２】
面接管理装置１は、配車予約に基づいて、求職者がハイヤーＴ内で面接に利用できる面接可能時刻を算出し、面接可能時刻の情報をインタビュア端末４０および採用者端末５０を介してインタビュアおよび採用者に閲覧させる。インタビュアがインタビュア端末４０を介して代理面談日時の予約をすると、当該予約情報が面接管理装置１に記録される。また、採用者が採用者端末５０を介して面接の日時予約をすると、当該予約情報が面接管理装置１に記録される。
【００２３】
求職者は、代理面談の予約時刻になると、ハイヤーＴ内の車両端末３０を介して、インタビュアとのビデオ通話による代理面談を受ける。また、求職者は、採用者との面接の予約時刻になると、車両端末３０を介してビデオ通話による接を受ける。
【００２４】
●機能ブロック
続いて、本実施形態に係る面接管理システムの機能について詳述する。
図２に示されるように、面接管理システムは、インターネット等のネットワークＮＷを介して通信可能に構成された面接管理装置１、求職者端末１０、車両端末３０、インタビュア端末４０および採用者端末５０によって構成される。なお、採用者端末５０は、複数台接続されていてもよく、本実施形態では、３台の採用者端末５０ａ、５０ｂ、５０ｃが接続されている。この場合、採用者端末５０ａ、５０ｂ、５０ｃは、それぞれ異なる企業の採用者が使用する端末を想定している。
【００２５】
求職者端末１０は、求職者が使用する端末である。
この求職者端末１０は例えば、データの送受信が可能な携帯型端末あるいはタブレット端末など、可搬性を有する端末によって実現される。
この求職者端末１０は少なくとも、面接管理装置１とデータの送受信を実行するためのブラウザプログラム等の通信処理手段、データを入出力するためのタッチ式ディスプレイ等の入出力手段を備える。求職者端末１０は、例えば専用のアプリケーションを介して、求職者のプロフィール、キャリアアドバイザから送付されるレジュメ、例えば履歴書又は職務経歴書の案、および配車スケジュールを閲覧できる。また、プロフィール、レジュメ、および配車スケジュール等を追加、削除および修正できる。なお、求職者端末１０は、専用のアプリケーションに加えて又は代えて、汎用のウェブブラウザを介して上述の処理が行えるようになっていてもよい。
【００２６】
車両端末３０は、ハイヤーＴに搭載される端末である。
車両端末３０は、データの送受信が可能なハイヤーＴに備え付けの端末であってもよいし、携帯型端末あるいはタブレット端末など、可搬性を有する端末を車内に取り付けて使用してもよい。
この車両端末３０は少なくとも、面接管理装置１とインターネット等のネットワークＮＷを介してデータの送受信を実行するための通信処理手段、およびビデオ通話を行うための、収音手段、放音手段、および表示手段を備える。
【００２７】
インタビュア端末４０は、代理面談を行うインタビュアが使用する端末であって、所謂パーソナルコンピュータやタブレット端末、あるいはデータの送受信が可能な携帯型端末、所謂スマートデバイスなどによって実現される。
このインタビュア端末４０は少なくとも、各種のデータを入出力するための入出力手段、面接管理装置１とインターネット等のネットワークＮＷを介してデータの送受信を実行するための通信処理手段を備えるほか、ビデオ通話を行うための、収音手段、放音手段、および表示手段を備える。
なお、以降の説明において、キャリアアドバイザが使用する端末の機能はインタビュア端末４０と同様である。
【００２８】
採用者端末５０は、求職者を採用する採用者が使用する端末であって、所謂パーソナルコンピュータやタブレット端末、あるいはデータの送受信が可能な携帯型端末、所謂スマートデバイスなどによって実現される。
この採用者端末５０は少なくとも、各種のデータを入出力するための入出力手段、面接管理装置１とインターネット等のネットワークＮＷを介してデータの送受信を実行するための通信処理手段を備えるほか、ビデオ通話を行うための、収音手段、放音手段、および表示手段を備える。
なお、採用者端末５０は、求職者が乗車するハイヤーとは別のハイヤーに載置される端末であってもよい。採用者が端末にログイン処理を行うことで、当該端末が採用者端末として機能する。また、採用者は、求職者同様に、あらかじめ配車予約を設定してハイヤーに乗車してもよい。この場合に、配車されるハイヤーに載置された車両端末が、配車予約に紐づけられた当該採用者のアカウントに自動的にログインされる構成であってもよい。
採用者端末５０は、専用のアプリケーション又は汎用のウェブブラウザ等を介して、求職者のレジュメおよび乗車スケジュールを閲覧できる。また、配車予約情報において、求職者が代理面談のライブ動画を配信する日時が閲覧できる。採用者端末５０上で閲覧する代理面談を選択すると、採用者端末５０上に表示されるカレンダーに閲覧予定が表示される。また、採用者端末５０上で求職者と面談を行う日時を選択すると、当該カレンダーに面談予定が表示される。代理面談および面談のいずれか又は両方において、採用者端末５０上、例えばカレンダー上にビデオ会議のリンクが表示され、採用者はこのリンクを選択することで代理面談の閲覧又は面談のビデオ通話を開始することができる。
【００２９】
面接管理装置１は、求職者および採用者の間で情報のやり取りを仲介する装置である。
この面接管理装置１は例えば、CPU（Central Processing Unit）などの演算装置、CPUによって実行されるコンピュータプログラム、RAM（Random Access Memory）やROM（Read Only Memory）等の内部メモリ等を備えたサーバ等によって実現される。面接管理装置１はこれにより、図２に示されるように、受信部１１、予約部１２、面接時間枠算出部１３、表示制御部１４、面接設定部１５、ビデオ通話部１６、質問処理部１７、通信処理部１８、求職者情報記憶部１Ａ、配車情報記憶部１Ｂからなる機能ブロックを構成する。
【００３０】
受信部１１は、求職者端末１０から送信される、ハイヤーの予約情報を受け付ける機能部である。ハイヤーの予約情報は、例えば、ハイヤーへの乗車時刻、乗車地および目的地を含む。乗車時刻は、定期的に複数回乗車することを想定し、例えば「毎週月曜の８時」といったように入力される。なお、受信部１１は、降車希望時刻をさらに受信してもよい。また、受信部１１は、求職者の氏名および連絡先、学歴、職務経歴等のプロフィール情報を受信する。プロフィール情報は、履歴書に記載される項目を含む情報である。受信部１１は、求職者のプロフィール情報が受信されない場合、ハイヤーの予約情報を受け付けない、又は予約処理を行わないように構成されていてもよい。また、受信部１１は、求職者のプロフィール情報を、インタビュア端末４０又はキャリアアドバイザの端末から受信してもよい。インタビュア又はキャリアアドバイザが、ヒアリングした情報を求職者のプロフィール情報として入力できる構成によれば、履歴書又は職務経歴書の作成をインタビュア又はキャリアアドバイザに代理してもらうことができ、求職者にとって求職活動が簡便になる。
【００３１】
予約部１２は、乗車時刻および当該乗車地を含む前記ハイヤーの配車予約情報を求職者情報記憶部１Ａに記憶されている求職者情報テーブルＴ１００（図３（ａ）参照）に格納する機能部である。
【００３２】
求職者情報テーブルＴ１００は、求職者のプロフィール情報、および求職者がハイヤーに乗車する乗車時間帯等が格納されている。また、ハイヤー内で面接が可能な時間帯が格納されている。さらに、後述する代理面談の動画が録画されている場合には、代理面談の動画データが当該求職者の識別情報に関連付けて記憶されている。
【００３３】
面接時間枠算出部１３は、ハイヤー内の滞在時間を面接可能時刻として算出する機能部である。ハイヤー内は、運転手を除いて他人に話を聞かれるおそれがなく、プライベートな空間であり、ハイヤー内の時間をインタビュア又は採用者とのビデオ通話に活用することが可能なためである。
【００３４】
面接時間枠算出部１３は、乗車地および目的地に基づいて降車時刻を算出する。このとき、面接時間枠算出部１３は、例えばインターネット上の地図データを参照して、移動に要する時間を取得し、降車時刻を算出する。また、面接時間枠算出部１３は、乗車時刻に基づいて当該移動経路の混雑状況を予測し、混雑状況を加味して降車時刻を算出してもよい。
算出される降車時刻は、求職者情報テーブルＴ１００に格納される。
【００３５】
面接時間枠算出部１３は、乗車時刻および算出した降車時刻に基づいて、面接が可能な時間枠、すなわち開始可能時刻および終了時刻を算出する。面接の時間枠は、乗車時刻と降車時刻の間に含まれる時刻であって、乗車時刻から降車時刻までを面接時間枠として設定してもよい。また、面接時間枠算出部１３は、例えば乗車後所定時間後から、降車時刻の所定時間前までの時間を面接時間枠として設定してもよい。この構成によれば、面接がハイヤー内の滞在時間よりあらかじめ短く設定されるので、交通状況等により乗車時刻と降車時刻が予定に対してずれたとしても、予定した面接の時間を確保することができる。
算出される面接時間枠は、求職者情報テーブルＴ１００に格納される。
【００３６】
なお、面接時間枠算出部１３は、降車時刻の予定を、面接中に随時再計算し、表示制御部１４を介して車両端末３０およびビデオ通話中の端末、すなわちインタビュア端末４０又は採用者端末５０上に表示させてもよい。交通事情により、降車時刻が変化するためである。また、面接時間の残時間を算出して車両端末３０又はビデオ通話中の端末に表示したり、残り時間が所定時間になったことを、車両端末３０又はビデオ通話中の端末に表示したりしてもよい。
【００３７】
表示制御部１４は、インタビュア端末４０および採用者端末５０に、求職者の面接時間枠を表示させる機能部である。インタビュア端末４０および採用者端末５０では、求職者情報テーブルＴ１００の情報に記憶されている求職者のプロフィール情報を合わせて表示することができる。この構成によれば、特に採用者により求職者の履歴書に含まれる情報を閲覧することができるので、所望の人材との面接を実現でき、効率的に採用活動をすることができる。また、この面接時間枠は、求職者にとってはハイヤーＴの配車により創出された可処分時間であり、求職活動に充てることが想定されている時間である。従来の採用活動では、求職者の現職の都合等により面接ができなくなることも多くあったところ、本発明に係る面接管理装置によれば、面接がキャンセルされる可能性が非常に低い。すなわち、採用者は、所望の人材とほぼ確実に面接することができる。
【００３８】
配車情報記憶部１Ｂは、求職者へのハイヤーの定期配車に関する情報を記憶した記憶部である。
図３（ｂ）に示すように、配車情報記憶部１Ｂには、配車情報テーブルＴ２００が格納されている。配車情報テーブルＴ２００は、複数の乗車予定に対して、配車されるハイヤーＴに搭載される車両端末３０の識別情報が格納されている。この構成によれば、求職者が乗車中にどの車両端末３０を使用するかが格納されているので、特別な操作をしなくても、採用者端末５０又はインタビュア端末４０を、面接又は代理面談を予約した求職者が乗車するハイヤーＴの車両端末３０に確実に接続させることができる。
【００３９】
なお、上述の構成に代えて、求職者がハイヤーＴに乗車後、求職者端末１０による認証又は求職者が知っているパスワード等の入力を行うことで、当該車両端末３０と求職者が紐づけられる構成であってもよい。なお、採用者がハイヤーＴ内の端末を採用者端末として利用する場合も同様である。
【００４０】
面接設定部１５は、求職者との面接日時を決定する機能部である。面接設定部１５は、インタビュア端末４０から代理面談を行う求職者および面接日時が入力されると、当該日時にインタビュアとの代理面談を決定し、配車情報記憶部１Ｂに記録する。図３（ｂ）の例においては、乗車日時と面接予約端末ＩＤが紐付けられて配車情報テーブルＴ２００に格納されている。ここで、面接予約端末は、インタビュア端末４０および採用者端末５０を指し、面接予約端末ＩＤは、インタビュア端末４０および採用者端末５０の識別情報である。
【００４１】
また、面接設定部１５は、採用者端末５０から面接を行う求職者および面接日時が入力されると、当該面接日時を配車情報記憶部１Ｂに記録する。本例では、８月３日の乗車においてはＩＤがＩ１０１のインタビュア端末４０との代理面談が予定されており、８月１１日の乗車においてはＩＤがＣ１０１の採用者端末５０との面接が予定されている。
【００４２】
なお、本実施形態においては、インタビュア端末４０又は採用者端末５０が面接可能時刻の中から面接日時を指定し、決定する構成としたが、求職者端末１０が面接日時を指定する構成であってもよい。第１ユーザが第２ユーザのスケジュールを参照し、面接日時を指定する構成は、第２ユーザがサービス提供者である場合に有用である。
【００４３】
ビデオ通話部１６は、面接日時において、車両端末３０と採用者端末５０とを接続してビデオ通話を行わせる機能部であり、車両端末３０により収集される音声および動画を採用者端末５０に送信するとともに、採用者端末５０により収集される音声および動画を車両端末３０に送信する。この構成によれば、求職者は採用者の企業に赴くことなく、通勤にかかる移動時間を利用して効率よく求職活動を行うことができる。
【００４４】
なお、面接管理装置１は、ＧＮＳＳ等の位置検出手段によりハイヤーＴの位置を検出し、到着予定時刻を算出してもよい。位置検出手段は、例えば車両端末３０に搭載されている機能である。また、ハイヤーＴが位置検出手段を有していて、ハイヤーＴが検出した位置情報を面接管理装置１が受信する構成であってもよい。
【００４５】
また、ビデオ通話部１６は、代理面談日時においては、車両端末３０とインタビュア端末４０とを接続して、同様にビデオ通話を行わせる。
【００４６】
ビデオ通話部１６は、代理面談の動画を採用者端末５０において再生させるビデオ再生部１６１を備える。ビデオ再生部１６１は、採用者端末５０にリアルタイムで共有し、再生させることで、代理面談のいわゆるライブ動画を閲覧させる。この構成によれば、インタビュアを通じて面接できるような一般的な質疑については、１回の代理面談を通じて複数の採用者に対して共有することができ、採用者および求職者ともに面接を簡素化することができる。なお、代理面談の動画は、例えば少なくとも車両端末３０により収集される音声および動画と、インタビュア端末４０により収集される音声を含むが、インタビュア端末４０により撮影されるインタビュアの映像が含まれていてもよい。
【００４７】
ビデオ再生部１６１は、複数の採用者端末５０ａ乃至５０ｃにおいて、代理面談のライブ動画を同時に再生可能である。この構成によれば、求職者に興味のある複数の採用者が一同に会することがないので、求職者の動画を簡便に視聴できる上、他の企業には存在を知られることなく気軽に求職者の情報を得ることができる。
なお、ビデオ再生部１６１は、代理面談を採用者端末５０で再生可能とするか否か、代理面談ごとに指定可能になっていてもよい。例えば、代理面談が、求職者の職歴やスキルなどのプロフィールをヒアリングし、履歴書および職務経歴書の作成を代行するための面談である場合には、公開する必要はない上、時にはプライベートな情報や現職に関する機密情報も含まれている。代理面談を採用者端末５０に対し非公開に選択できる構成によれば、このような機密性の高い面談も可能である。なお、この場合の代理面談は、インタビュアとは異なるキャリアアドバイザが行ってよい。
【００４８】
また、ビデオ再生部１６１は、代理面談を録画し、動画データを記憶してもよい。当該動画データは求職者情報記憶部１Ａに記憶される。ビデオ再生部１６１は、録画されている代理面談の動画を採用者端末５０において再生させる。この構成によれば、代理面談をリアルタイムで視聴できなかった採用者であっても、代理面談の様子を知ることができるため、マッチングの機会を担保することができる。
【００４９】
質問処理部１７は、採用者端末５０から入力される求職者への質問を受け付けるとともに、質問をインタビュア端末４０に送信する機能部である。インタビュア端末４０ではこの質問が音声又は文字で報知され、インタビュアは代理面談で求職者に質問を共有する。この構成によれば、採用者は、存在を知られることなく遠隔から代理面談を視聴できると同時に、個別の質問もすることができる。
なお、質問処理部１７は、採用者端末５０からの質問を、代理面談の最中の他、代理面談の時間とは異なる時間帯に受け付けてもよい。代理面談前に受け付けた場合には事前にインタビュア端末４０に送信されてもよい。この場合、インタビュアは代理面談の中で求職者に当該質問をすることができる。また、代理面談後に受け付けた場合には、別途、求職者がハイヤーＴに載っている時間帯に、車両端末３０に当該質問を表示させ、回答を促してもよい。
【００５０】
通信処理部１８は、求職者端末１０、車両端末３０、インタビュア端末４０、及び採用者端末５０ａ乃至５０ｃと、インターネット等のネットワークＮＷを介して各種のデータの送受信を実行する。
具体的に、求職者端末１０との間では、求職者のプロフィール情報および配車予約情報を受信する。また、車両端末３０との間では、インタビュア端末４０および採用者端末５０との間で音声および動画の送受信を行う。また、インタビュア端末４０との間では、求職者への代理面談予約を受信する。採用者端末５０ａ乃至５０ｃとの間では、求職者との面接予約を受信するとともに、求職者への質問を受信する。
なお、求職者端末１０、車両端末３０、及びインタビュア端末４０、採用者端末５０ａ乃至５０ｃを介した求職者、採用者、及びインタビュアとのデータや通知のやり取りは、所定のウェブサイト上に設けた求職者、採用者、及びインタビュアそれぞれのマイページ等を介して行ったり、専用のアプリケーションを介して行ったり、求職者、採用者、及びインタビュアの電子メールを介して行ったりするなど、各種の態様によることができる。
【００５１】
●画面例
図４は、採用者端末５０に表示される画面Ｇ１００の１例である。採用者端末５０から本システムへのログイン処理を行うと、求職者のプロフィール情報が、ハイヤーＴ内における面接可能時刻とともに表示される。画面Ｇ１００に表示される求職者は、採用者端末５０から入力される条件などにより抽出されてもよい。また、この条件は、求職者の職歴等の採用条件であってもよいし、ある時刻に面接可能な求職者を表示する、といった抽出方法も可能でもよい。
【００５２】
画面Ｇ１００には、例えば、求職者の顔画像欄Ｇ１１０、求職者氏名欄Ｇ１２０、求職者の職歴などが概括されて記載されるプロフィール欄Ｇ１３０、面接可能時刻を表示する月を指定する月指定欄Ｇ１４０、ハイヤーＴ内の面接可能スケジュール欄Ｇ１５０等が表示されている。面接可能スケジュール欄Ｇ１５０には、ハイヤーＴの配車が予定されている時間帯には丸またはバツのマークが表示され、配車が予定されていない時間帯には、マークが表示されない。また、面接を予約可能な日の欄に、面接可能時間帯が表示され、面接の受付を締め切った時間帯にはバツが表示されている。例えば、面接を予約可能な日の欄をタップ又はクリック等により選択することで、採用者端末５０から面接を予約することができる。なお、画面Ｇ１００はインタビュア端末４０からも閲覧可能であってもよい。
【００５３】
●処理の流れ
[ハイヤーの配車に関する処理フロー]
図５は、求職者端末１０からの予約に基づいて、ハイヤーが配車される処理の流れの１例を示すシーケンス図である。
まず、求職者端末１０がプロフィールの入力を受け付けると、面接管理装置１がこれを取得する（Ｓ１０１）。面接管理装置１は、このプロフィールの情報に基づいて、キャリアアドバイザの選定処理を行ってもよい。また、求職者端末１０が配車予約情報の入力を受け付け、面接管理装置１がこれを取得すると（Ｓ１０２）、面接管理装置１に配車予約情報が格納される（Ｓ１０３）。面接管理装置１は配車予約情報を配車端末２０に送信する（Ｓ１０４）。次いで、配車端末２０は、配車される車両端末を決定し（Ｓ１０７）、車両端末３０の識別情報を面接管理装置１に送信する（Ｓ１０８）。面接管理装置１は車両端末３０の識別情報を受信し、これを格納する（Ｓ１１０）。
【００５４】
また、面接管理装置１は、配車予約情報に応じて、降車時刻を算出するとともに（Ｓ１０５）、当該求職者のハイヤーＴ内における面接可能時刻を格納する（Ｓ１０６）。
【００５５】
[代理面談に関する処理フロー]
続いて、インタビュア端末４０と車両端末３０との間で行われるビデオ通話、すなわち代理面談の様子が、採用者端末５０から閲覧され、採用者端末５０から質問を受け付ける処理の流れを説明する。
図６は、車両端末３０とインタビュア端末４０との間でビデオ通話による代理面談が行われる処理の流れを示すシーケンス図である。
【００５６】
まず、インタビュア端末４０から面接管理装置１に、求職者情報の閲覧請求が送信される（Ｓ２０１）。面接管理装置１は、閲覧請求に応じて求職者情報をインタビュア端末４０に送信する（Ｓ２０２）。インタビュア端末４０は、表示部に画面Ｇ１００を表示し、面接を行う求職者および面接日時の選択を受け付ける（Ｓ２０３）。求職者および面接日時が選択されると、面接管理装置１は、当該求職者の配車情報テーブルＴ２００に面接日時を格納する（Ｓ２０４）。
面接管理装置１は、ハイヤーＴへの乗車予約日時の所定時間前に、求職者端末１０にリマインダ通知を行う。なお、面接管理装置１は、代理面談が予定されている場合に、当該求職者の求職者端末１０に対して、代理面談が予定されていない場合とは異なる態様でリマインダ通知を行ってもよい。
【００５７】
面接開始時刻になると、面接管理装置１は、配車情報テーブルＴ２００を参照して、当該求職者ＩＤと紐づけられている車両端末３０およびインタビュア端末４０に、ビデオ通話の開始命令を送信する（Ｓ２０５）。次いで、当該車両端末３０およびインタビュア端末４０の間で、ビデオ通話の送受信が開始される（Ｓ２０６、Ｓ２０７）。
【００５８】
採用者端末５０からビデオ通話の閲覧要求が送信されると（Ｓ２０８）、面接管理装置１は、代理面談のビデオ通話を採用者端末５０に共有し（Ｓ２０９）、採用者端末５０の表示部に当該代理面談の音声および画像の閲覧が可能になる（Ｓ２１０）。なお、採用者端末５０による代理面談の閲覧要求は、代理面談のビデオ通話中であっても、代理面談の日時前でも送信することができる。また、閲覧中又は閲覧前において採用者端末５０から質問が送信されると（Ｓ２１１）、面接管理装置１を介してインタビュア端末４０に送信される（Ｓ２１２）。インタビュア端末４０では、この質問が画面上などに表示される。インタビュアは適宜のタイミングで、代理面談中にこの質問を求職者に投げかける。
【００５９】
なお、同図の例では、１個の採用者端末５０が示されているが、複数の採用者端末が代理面談の閲覧を同時に行える構成であってよい。
【００６０】
[採用者との面接に関する処理フロー]
図７は、ハイヤーＴ内における面接可能時刻に、車両端末３０と採用者端末５０との間でビデオ通話による面接が行われる処理の流れを示すシーケンス図である。
まず、採用者端末５０から面接管理装置１に、求職者情報の閲覧請求が送信される（Ｓ３０１）。面接管理装置１は、閲覧請求に応じて求職者情報を採用者端末５０に送信する（Ｓ３０２）。採用者端末５０は、表示部に画面Ｇ１００を表示し、面接を行う求職者および面接日時の選択を受け付ける（Ｓ３０３）。求職者および面接日時が選択されると、面接管理装置１は、当該求職者の配車情報テーブルＴ２００に面接日時を格納する（Ｓ３０４）。
なお、面接管理装置１が、ハイヤーＴへの乗車予約日時の所定時間前に、求職者端末１０にリマインダ通知を行う場合において、採用者端末５０との面接が予定されている場合に、当該求職者の求職者端末１０に対して、面接が予定されていない場合とは異なる態様でリマインダ通知を行ってもよい。
【００６１】
面接開始時刻になると、面接管理装置１は、配車情報テーブルＴ２００を参照して、当該求職者ＩＤと紐づけられている車両端末３０および採用者端末５０に、ビデオ通話の開始命令を送信する（Ｓ３０５）。次いで、当該車両端末３０および採用者端末５０の間で、ビデオ通話の送受信が開始される（Ｓ３０６、Ｓ３０７）。
【００６２】
以上の本発明の実施形態に係る面接管理システムによれば、移動時間を活用することができる。
【００６３】
なお、以上の本実施形態に係る面接管理システムにおいて、各端末又は装置の機能構成は一例であり、本例で示した機能部が、本例とは異なる端末又は装置に備えさせることもできる。
【符号の説明】
【００６４】
１      面接管理装置（面談管理装置）
１１      受信部
１２      予約部
１３      面接時間枠算出部（面談時間枠算出部）
１４      表示制御部
１５      面接設定部（面談設定部）
１６      ビデオ通話部
１７      質問処理部
１８      通信処理部
１Ａ      求職者情報記憶部（第１ユーザ情報記憶部）
１Ｂ      配車情報記憶部
１０        求職者端末
３０        車両端末
４０        インタビュア端末
５０        採用者端末（第２ユーザ端末）
ＮＷ      ネットワーク
【要約】
【課題】移動時間を効率よく利用する。
【解決手段】ハイヤーに搭載され第１ユーザがハイヤー内で使用する車両端末と、第２ユーザが使用する採用者端末と、通信可能に構成され、車両端末と第２ユーザ端末の間でビデオ通話による面談を行わせる面談管理装置１。第１ユーザのハイヤーへの乗車時刻、乗車地および目的地の入力を受け付ける受信部、当該乗車時刻および当該乗車地を含むハイヤーの配車予約情報を格納する予約部、乗車地および目的地に基づいて降車時刻を算出するとともに、乗車時刻および降車時刻に基づいて、ハイヤー内の滞在時間を面談可能時刻として算出する面談時間枠算出部、当該面談可能時刻を第１ユーザの識別情報と関連付けて記録する第１ユーザ情報記憶部、第２ユーザ端末に、第１ユーザの面談可能時刻を表示させる表示制御部、第１ユーザと第２ユーザとの面談日時を記憶する面談設定部等を備える。
【選択図】図２【図１】
0006965425.tif 000002
【図２】
0006965425.tif 000003
【図３】
0006965425.tif 000004
【図４】
0006965425.tif 000005
【図５】
0006965425.tif 000006
【図６】
0006965425.tif 000007
【図７】
0006965425.tif 000008